(57)【要約】【課題】一対の電線カバーを閉じる際、ヒンジ部の捻れに起因した一対の電線カバー相互の位置ずれ防止して、円滑に一対の電線カバーを閉じた状態にすることができる電線カバーを提供すること。【解決手段】片側を開放した溝状の電線配索空間５１を備えてコネクタハウジング２００の電線導出端２０１に取り付けられる第１電線カバー５と、第１電線カバー５にヒンジ部６を介して一体形成されて電線配索空間５１の開放部を開閉可能に覆う第２電線カバー７と、を備えた電線カバー４であって、一方の電線カバー７に装備されてヒンジ部６による回転方向に沿って延在するガイド溝７４と、他方の電線カバー５に装備されてヒンジ部６による一対の電線カバーの回転操作時にガイド溝７４内を摺動して一対の電線カバー相互の振れを規制する回転規制リブ５４と、を備える。【選択図】図１
2016131113.tif 000002
【特許請求の範囲】
【請求項１】
片側を開放した溝状の電線配索空間を備えて、コネクタハウジングの電線導出端に取り付けられる第１電線カバーと、
前記第１電線カバーにヒンジ部を介して一体形成されて、前記電線配索空間の開放部を開閉可能に覆う第２電線カバーと、
を備えた電線カバーであって、
前記第１電線カバー又は前記第２電線カバーの一方の電線カバーに装備されて、前記ヒンジ部の回転軸と直交する方向に延在するガイド溝と、
他方の電線カバーに装備されて、前記ヒンジ部の回転軸と直交する方向に延在して前記ヒンジ部による回転操作時に前記ガイド溝内を摺動して一対の電線カバー相互の振れを規制する回転規制リブと、
を備えたことを特徴とする電線カバー。
【請求項２】
前記ガイド溝及び前記回転規制リブは、前記ヒンジ部に接近した位置に装備されていることを特徴とする請求項１に記載の電線カバー。
【請求項３】
前記第１電線カバーは、前記電線配索空間に挿入された電線の側面に当接して前記電線を位置決めする電線規制壁を備え、
前記回転規制リブは、前記電線規制壁と直交する壁状に前記電線規制壁に一体形成されたことを特徴とする請求項２に記載の電線カバー。
【請求項４】
前記電線規制壁は、前記電線をＬ字状に位置決めするＬ字状に一体形成されたことを特徴とする請求項３に記載の電線カバー。
【発明の詳細な説明】
【技術分野】
【０００１】
本発明は、コネクタハウジングの電線導出端に取り付けられる電線カバーに関する。
【背景技術】
【０００２】
図６及び図７は、下記特許文献１に開示された電線カバーを示したものである。
この電線カバー１００は、樹脂製で、図６に示すように、コネクタハウジング２００の電線導出端２０１に取り付けられて、電線導出端２０１から導出する電線３００の導出方向を規制する。
【０００３】
この電線カバー１００は、コネクタハウジング２００の電線導出端２０１に取り付けられる第１電線カバー１１０と、この第１電線カバー１１０にヒンジ部１２０を介して一体形成された第２電線カバー１３０と、を備えている。
【０００４】
第１電線カバー１１０は、片側（上面側）を開放した溝状の電線配索空間１１１と、コネクタハウジング２００の外側面に装備されたカバー係合部２０２と係合してコネクタハウジング２００との結合を果たすハウジング係合部１１２と、を備えている。
【０００５】
電線規制壁１１３は、電線配索空間１１１内に配索された電線３００の一側に当接して、電線配索空間１１１内の電線３００を位置決めしている。
【０００６】
ヒンジ部１２０は、可撓性を有する薄肉の板状で、第１電線カバー１１０の一側に装備されていて、第２電線カバー１３０を回動可能に第１電線カバー１１０に結合している。
【０００７】
第２電線カバー１３０は、ヒンジ部１２０による回動によって、第１電線カバー１１０の電線配索空間１１１を開閉可能に覆う。
【先行技術文献】
【特許文献】
【０００８】
【特許文献１】特開２０１３−４５６１０号公報
【発明の概要】
【発明が解決しようとする課題】
【０００９】
ところが、特許文献１の電線カバー１００において、薄肉構造のヒンジ部１２０の捻れを完全に防止することが難しい。
【００１０】
そして、第１電線カバー１１０の上に第２電線カバー１３０を閉じる操作の際には、ヒンジ部１２０の捻れによって、一対の電線カバー相互間に位置ずれが生じて、電線カバー相互を閉じた状態にすることができなくなるおそれがあった。
【００１１】
そこで、本発明の目的は、上記課題を解消することに係り、一対の電線カバーを閉じる際、ヒンジ部の捻れに起因した一対の電線カバー相互の位置ずれ防止して、円滑に一対の電線カバーを閉じた状態にすることができる電線カバーを提供することにある。
【課題を解決するための手段】
【００１２】
本発明の前述した目的は、下記の構成により達成される。
（１）  片側を開放した溝状の電線配索空間を備えて、コネクタハウジングの電線導出端に取り付けられる第１電線カバーと、
前記第１電線カバーにヒンジ部を介して一体形成されて、前記電線配索空間の開放部を開閉可能に覆う第２電線カバーと、
を備えた電線カバーであって、
前記第１電線カバー又は前記第２電線カバーの一方の電線カバーに装備されて、前記ヒンジ部の回転軸と直交する方向に延在するガイド溝と、
他方の電線カバーに装備されて、前記ヒンジ部の回転軸と直交する方向に延在して前記ヒンジ部による回転操作時に前記ガイド溝内を摺動して一対の電線カバー相互の振れを規制する回転規制リブと、
を備えたことを特徴とする電線カバー。
【００１３】
（２）  前記ガイド溝及び前記回転規制リブは、前記ヒンジ部に接近した位置に装備されていることを特徴とする上記（１）に記載の電線カバー。
【００１４】
（３）  前記第１電線カバーは、前記電線配索空間に挿入された電線の側面に当接して前記電線を位置決めする電線規制壁を備え、
前記回転規制リブは、前記電線規制壁と直交する壁状に前記電線規制壁に一体形成されたことを特徴とする上記（２）に記載の電線カバー。
【００１５】
（４）  前記電線規制壁は、前記電線をＬ字状に位置決めするＬ字状に一体形成されたことを特徴とする上記（３）に記載の電線カバー。
【００１６】
上記（１）の構成によれば、ヒンジ部による回動によって一対の電線カバーを閉じる際には、一方の電線カバーに装備されたガイド溝内を他方の電線カバーに装備された回転規制リブが摺動することによって、一対の電線カバー相互の振れが規制される。
【００１７】
即ち、一対の電線カバーを閉じる際には、ガイド溝と回転規制リブとの係合によって、ヒンジ部の捻れに起因した一対の電線カバー相互の位置ずれが防止され、一対の電線カバーを円滑に閉じた状態にすることができる。
【００１８】
従って、一対の電線カバーを閉じる作業が容易になり、電線カバーの組付け性を向上させることができる。
【００１９】
上記（２）の構成によれば、ヒンジ部にガイド溝及び回転規制リブが接近していることで、ガイド溝及び回転規制リブを小型化することができ、電線カバーの小型化を図ることができる。
【００２０】
また、ガイド溝及び回転規制リブがヒンジ部に接近していることで、ガイド溝と回転規制リブとの係合が、一対の電線カバーを閉じる回動操作の初期に開始される。
【００２１】
即ち、ガイド溝と回転規制リブとの係合による位置ずれ防止効果を、回動初期から得ることができ、閉じ操作の円滑性を向上させることができる。
【００２２】
上記（３）の構成によれば、回転規制リブが電線規制壁と直交する壁状に電線規制壁に一体形成されたことで、互いの強度が補強され、厚肉化せずとも、回転規制リブ及び電線規制壁の双方に高い強度を確保することが可能になる。
【００２３】
上記（４）の構成によれば、電線規制壁が、電線をＬ字状に位置決めするＬ字状に一体形成されているため、厚肉化せずとも電線規制壁に高い強度を確保して、電線をより定位置に位置決めすることが可能になる。また、Ｌ字状の電線規制壁は、第１電線カバーの変形を抑止する補強リブとしても機能するため、専用の補強リブを追加せずとも、第１電線カバー自体の剛性を向上させることもできる。
【発明の効果】
【００２４】
本発明による電線カバーによれば、一対の電線カバーを閉じる際、ヒンジ部の捻れに起因した一対の電線カバー相互の位置ずれ防止して、円滑に一対の電線カバーを閉じた状態にすることができる。
【００２５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２６】
【図１】図１は、本発明に係る電線カバーの一実施形態の第１電線カバーをコネクタハウジングの電線導出端に組み付けた状態の斜視図である。
【図２】図２は、図１に示した電線カバーの第１電線カバーと第２電線カバーとが開いた状態の斜視図である。
【図３】図３は、本発明の一実施形態の電線カバーにおいて、第１電線カバーに第２電線カバーを閉じる操作の途中の状態を示す斜視図である。
【図４】図４は、本発明の一実施形態の電線カバーにおいて、一対の電線カバーを閉じた状態の斜視図である。
【図５】図５は、一対の電線カバーを閉じたときのガイド溝と回転規制リブと係合状態を示す縦断面図である。
【図６】図６は、従来の電線カバーの第１電線カバーをコネクタハウジングに取り付けた状態の斜視図である。
【図７】図７は、従来の電線カバーの一対の電線カバーが開いた状態の斜視図である。
【発明を実施するための形態】
【００２７】
以下、本発明に係る電線カバーの好適な実施形態について、図面を参照して詳細に説明する。
【００２８】
図１〜図５は本発明に係る電線カバーの一実施形態を示したもので、図１は本発明に係る電線カバーの一実施形態の第１電線カバーをコネクタハウジングの電線導出端に組み付けた状態の斜視図、図２は図１に示した電線カバーの第１電線カバーと第２電線カバーとが開いた状態の斜視図、図３は本発明の一実施形態の電線カバーにおいて、第１電線カバーに第２電線カバーを閉じる操作の途中の状態を示す斜視図、図４は本発明の一実施形態の電線カバーにおいて、一対の電線カバーを閉じた状態の斜視図、図５は一対の電線カバーを閉じたときのガイド溝と回転規制リブと係合状態を示す縦断面図である。
【００２９】
この一実施形態の電線カバー４は、樹脂製で、図１に示すように、コネクタハウジング２００の電線導出端２０１に取り付けられて、電線導出端２０１から導出する電線３００の導出方向を規制する。
【００３０】
この電線カバー４は、コネクタハウジング２００の電線導出端２０１に取り付けられる第１電線カバー５と、この第１電線カバー５の一側縁にヒンジ部６を介して一体形成された第２電線カバー７と、を備えている。
【００３１】
第１電線カバー５は、片側（上面側）を開放した溝状の電線配索空間５１と、コネクタハウジング２００の外側面に装備されたカバー係合部２０２と係合してコネクタハウジング２００との結合を果たすハウジング係合部５２と、電線配索空間５１内に立設された電線規制壁５３と、回転規制リブ５４と、カバー連結片５５と、補強リブ５６と、を備えている。
【００３２】
電線配索空間５１は、配索される電線３００の配索方向に沿って延在する平面視Ｌ字状の空間である。この電線配索空間５１の横断面形状は、開放側から電線配索空間５１内に電線３００を割り込ませることができるように、半円状又はコ字状などに形成される。
【００３３】
ハウジング係合部５２は、本実施形態の場合、電線導出端２０１の高さ方向（図１では、矢印Ｚ１方向）に延在するアリ溝状の溝である。このハウジング係合部５２は、電線導出端２０１に該電線導出端２０１の高さ方向に沿って延設されたアリ状のカバー係合部２０２と嵌合することで、高さ方向と直交する２方向（図１の矢印Ｘ１方向と、矢印Ｙ１方向）への移動が規制されて、第１電線カバー５が電線導出端２０１に結合された状態になる。
【００３４】
図１において、矢印Ｘ１方向はコネクタハウジング２００の幅方向であり、矢印Ｙ１方向は、コネクタハウジング２００の長さ方向である。図１に示した３本の矢印Ｘ１，Ｙ１，Ｚ１は、いずれも、互いに直交している。
【００３５】
電線規制壁５３は、ヒンジ部６側の電線配索空間５１の角部に装備されている。本実施形態の電線規制壁５３は、ヒンジ部６の回転軸６１と直交するコネクタハウジング２００の幅方向に沿って延在した第１規制壁５３１と、この第１規制壁５３１のヒンジ部６側の端部からヒンジ部６の回転軸６１に沿うコネクタハウジング２００の長さ方向に沿って延出した第２規制壁５３２と、を備えている。従って、第２規制壁５３２は、ヒンジ部６に接近した位置に装備されている。
【００３６】
第１規制壁５３１と第２規制壁５３２とは、互いに直交しており、全体として、平面視でＬ字状の電線規制壁を形成している。
【００３７】
第２規制壁５３２は、電線導出端２０１から導出した電線３００の側面に当接して、該電線３００を、コネクタハウジング２００の長さ方向に沿う形状に位置決めする。
【００３８】
また、第１規制壁５３１は、第２規制壁５３２の終端で直角に屈曲した電線３００の側面に当接して、電線３００を、コネクタハウジング２００の長さ方向に位置決めして、コネクタハウジング２００の幅方向に電線３００を導出させる。
【００３９】
回転規制リブ５４は、ヒンジ部６に接近して配備された第２規制壁５３２のコネクタハウジング２００側の端部から、ヒンジ部６側に突出した形状に、第２規制壁５３２に一体形成されている。換言すると、この回転規制リブ５４は、ヒンジ部６に接近した位置に設けられており、また、ヒンジ部６の回転軸６１と直交する方向に延在し、且つ、一対の電線カバー相互の突き合わせ方向（コネクタハウジング２００の高さ方向で、図１の矢印Ｚ１方向）に延在している。
【００４０】
本実施形態における回転規制リブ５４は、図３に示すように、Ｘ１軸方向には長さｗで、Ｚ１軸方向には長さｍのリブである。この回転規制リブ５４は、第２規制壁５３２と直交している。
【００４１】
本実施形態における回転規制リブ５４は、図３及び図５に示すように、ヒンジ部６による一対の電線カバーの回転操作時に、後述する第２電線カバー７上のガイド溝７４内を摺動して、一対の電線カバー相互の振れを規制する。
【００４２】
カバー連結片５５は、図３に示すように、第１電線カバー５における電線配索空間５１の両側に装備されている。このカバー連結片５５は、図３に示すように、電線配索空間５１の両側に起立装備された弾性片５５１と、この弾性片５５１の先端内側に突設された係止突起５５２と、を備えている。
【００４３】
カバー連結片５５は、ヒンジ部６による回動によって第１電線カバー５と第２電線カバー７とを突き合わせた際に、第２電線カバー７上のカバー連結片５５に対応する位置の連結用段差部７５に係止突起５５２を係合させることで、第１電線カバー５と第２電線カバー７とを連結する。
【００４４】
補強リブ５６は、電線配索空間５１の内周面上に、周方向に延在するように突設されて、電線配索空間５１の周壁の剛性を高めている。
【００４５】
ヒンジ部６は、可撓性を有する薄肉の板状で、第１電線カバー５の一側に装備されていて、第２電線カバー７を回動可能に第１電線カバー５に結合している。
【００４６】
ヒンジ部６の回転軸６１は、図１に示すように、コネクタハウジング２００の長手方向（図１では、矢印Ｙ１方向）に沿って延在している。
【００４７】
第２電線カバー７は、ヒンジ部６による回動によって、第１電線カバー５の電線配索空間５１の開放部を開閉可能に覆う。この第２電線カバー７は、図２〜図４に示すように、ヒンジ部６に接近した位置に装備されたガイド溝７４と、第１電線カバー５のカバー連結片５５と対応する位置に装備された連結用段差部７５と、補強リブ７６と、を備えている。
【００４８】
ガイド溝７４は、ヒンジ部６に接近した位置に設けられており、また、ヒンジ部６の回転軸６１と直交する方向（図１の矢印Ｘ１方向）に延在し、且つ、一対の電線カバー相互の突き合わせ方向（コネクタハウジング２００の高さ方向で、図１の矢印Ｚ１方向）に延在している。このガイド溝７４は、図３及び図５に示すように、ヒンジ部６による第２電線カバー７の回動操作時に、回転規制リブ５４が摺動可能に嵌合する溝である。
【００４９】
本実施形態の電線カバー４では、図３及び図５に示すように、ガイド溝７４と回転規制リブ５４とが嵌合することで、第２電線カバー７を閉じる回動操作時に、一対の電線カバー相互の振れが規制される。
【００５０】
連結用段差部７５は、図４に示すように、ヒンジ部６による回動操作で、第２電線カバー７を第１電線カバー５に突き合わせたときに、第１電線カバー５のカバー連結片５５の係止突起５５２が係合して、第２電線カバー７が第１電線カバー５に固定された状態になる。
【００５１】
補強リブ７６は、図２に示すように、電線配索空間５１と対向する内周面上に、周方向に延在するように突設されて、第２電線カバー７の剛性を高めている。
【００５２】
補強リブ７６は、第１電線カバー５の補強リブ５６と対応する位置に装備されていて、図５に示すように、第１電線カバー５と第２電線カバー７とが閉じた状態のときには、補強リブ５６との協働で、電線３００の外周を周回する環状構造を形成する。なお、補強リブ５６と補強リブ７６は、電線３００を覆う不図示のコルゲートチューブの溝と係合する作用を有している。
【００５３】
以上に説明した一実施形態の電線カバー４によれば、ヒンジ部６による回動によって一対の電線カバー４を閉じる際には、一方の電線カバー７に装備されたガイド溝７４内を他方の電線カバー５に装備された回転規制リブ５４が摺動することによって、一対の電線カバー相互の振れが規制される。
【００５４】
即ち、一対の電線カバーを閉じる際には、ガイド溝７４と回転規制リブ５４との係合によって、ヒンジ部６の捻れに起因した一対の電線カバー相互の位置ずれが防止され、一対の電線カバーを円滑に閉じた状態にすることができる。
【００５５】
従って、一対の電線カバーを閉じる作業が容易になり、電線カバー４の組付け性を向上させることができる。
【００５６】
また、一実施形態の電線カバー４によれば、ヒンジ部６にガイド溝７４及び回転規制リブ５４が接近していることで、ガイド溝７４及び回転規制リブ５４を小型化することができ、電線カバー４の小型化を図ることができる。
【００５７】
また、ガイド溝７４及び回転規制リブ５４がヒンジ部６に接近していることで、ガイド溝７４と回転規制リブ５４との係合が、一対の電線カバーを閉じる回動操作の初期に開始される。
【００５８】
即ち、ガイド溝７４と回転規制リブ５４との係合による位置ずれ防止効果を、回動初期から得ることができ、閉じ操作の円滑性を向上させることができる。
【００５９】
また、一実施形態の電線カバー４によれば、回転規制リブ５４が電線規制壁５３と直交する壁状に電線規制壁５３に一体形成されたことで、互いの強度が補強され、厚肉化せずとも、回転規制リブ５４及び電線規制壁５３の双方に高い強度を確保することが可能になる。
【００６０】
また、一実施形態の電線カバー４によれば、電線規制壁５３が、電線３００をＬ字状に位置決めするＬ字状に一体形成されているため、厚肉化せずとも電線規制壁５３に高い強度を確保して、電線３００をより定位置に位置決めすることが可能になる。また、Ｌ字状の電線規制壁５３は、第１電線カバー５の変形を抑止する補強リブとしても機能するため、専用の補強リブを追加せずとも、第１電線カバー５自体の剛性を向上させることもできる。
【００６１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６２】
例えば、前述の一実施形態では、第１電線カバー５に回転規制リブ５４を装備し、第２電線カバー７にガイド溝７４を装備したが、逆に、第１電線カバー５にガイド溝７４を装備し、第２電線カバー７に回転規制リブ５４を装備するようにしても良い。
【００６３】
ここで、上述した本発明に係るコネクタのロック構造の実施形態の特徴をそれぞれ以下［１］〜［４］に簡潔に纏めて列記する。
【００６４】
［１］  片側を開放した溝状の電線配索空間（５１）を備えて、コネクタハウジング（２００）の電線導出端（２０１）に取り付けられる第１電線カバー（５）と、
前記第１電線カバー（５）にヒンジ部（６）を介して一体形成されて、前記電線配索空間（５１）の開放部を開閉可能に覆う第２電線カバー（７）と、
を備えた電線カバー（４）であって、
前記第１電線カバー（５）又は前記第２電線カバー（７）の一方の電線カバー（５）に装備されて、前記ヒンジ部（６）の回転軸（６１）と直交する方向に延在するガイド溝（７４）と、
他方の電線カバー（７）に装備されて、前記ヒンジ部（６）の回転軸（６１）と直交する方向に延在して前記ヒンジ部（６）による回転操作時に前記ガイド溝（７４）内を摺動して一対の電線カバー相互の振れを規制する回転規制リブ（５４）と、
を備えたことを特徴とする電線カバー（４）。
【００６５】
［２］  前記ガイド溝（７４）及び前記回転規制リブ（５４）は、前記ヒンジ部（６）に接近した位置に装備されていることを特徴とする上記［１］に記載の電線カバー（４）。
【００６６】
［３］  前記第１電線カバー（５）は、前記電線配索空間（５１）に挿入された電線（３００）の側面に当接して前記電線（３００）を位置決めする電線規制壁（５３）を備え、
前記回転規制リブ（５４）は、前記電線規制壁（５３）と直交する壁状に前記電線規制壁（５３）に一体形成されたことを特徴とする上記［２］に記載の電線カバー（４）。
【００６７】
［４］  前記電線規制壁（５３）は、前記電線（３００）をＬ字状に位置決めするＬ字状に一体形成されたことを特徴とする上記［３］に記載の電線カバー（４）。
【符号の説明】
【００６８】
４  電線カバー
５  第１電線カバー
６  ヒンジ部
７  第２電線カバー
５１  電線配索空間
５３  電線規制壁
５４  回転規制リブ
６１  回転軸
７４  ガイド溝
２００  コネクタハウジング
２０１  電線導出端
３００  電線
【図１】
2016131113.tif 000003
【図２】
2016131113.tif 000004
【図３】
2016131113.tif 000005
【図４】
2016131113.tif 000006
【図５】
2016131113.tif 000007
【図６】
2016131113.tif 000008
【図７】
2016131113.tif 000009